(57)【要約】【課題】  給送パスを短くしても的確な原稿サイズの検出を可能とし、装置の小型化を図ることができる自動原稿送り装置を提供する。【解決手段】  原稿載置部２に載置された原稿Ｄを最上部より繰出し、分離手段４で１枚ずつ分離して読取部Ｐ１に給送する自動原稿送り装置１であって、  上記読取部Ｐ１の上流側近傍において給送原稿Ｄの先端を検出する原稿先端検出センサ２４と、上記原稿載置部２上の最上部原稿Ｄに当接し、当接原稿Ｄの移動状態を検出する移動検出手段２２とを備え、上記原稿先端検出センサ２４と移動検出手段２２の原稿当接位置との原稿給送パス５に沿った距離Ｌを、少なくとも最大原稿長さの１／２に相当する長さとしたことを特徴とする。【選択図】        図１
2005075589.tif 000002
【特許請求の範囲】
【請求項１】
原稿載置部に載置された原稿を最上部より繰出し、分離手段で１枚ずつ分離して読取部に給送する自動原稿送り装置であって、
上記読取部の上流側近傍において給送原稿の先端を検出する原稿先端検出センサと、上記原稿載置部上の最上部原稿に当接し、当接原稿の移動状態を検出する移動検出手段とを備え、上記原稿先端検出センサと移動検出手段の原稿当接位置との原稿給送パスに沿った距離を、少なくとも最大原稿長さの１／２に相当する長さとしたことを特徴とする自動原稿送り装置。
【請求項２】
上記移動検出手段が、最上部原稿に離接可能な回転体を備え、この回転体は当接原稿の移動により回転するよう構成され、この回転・停止状態をして上記原稿の移動状態とすることを特徴とする請求項１に記載の自動原稿送り装置。
【請求項３】
上記回転体にエンコーダを付設し、このエンコーダによる回転体の回転数検出に基づき原稿長さの判定を行うようにしたことを特徴とする請求項２に記載の自動原稿送り装置。
【発明の詳細な説明】
【技術分野】
【０００１】
本発明は、原稿を搬送しながらその画像を読取る所謂シートスルータイプの画像読取装置における自動原稿送り装置に関し、更に詳しくは、短い給送パスでありながら的確に給送原稿のサイズを検出し得る原稿サイズ検出手段を備えた自動原稿送り装置に関する。
【背景技術】
【０００２】
一般に、電子写真複写機やファクシミリ装置においては、原稿トレーにセットされた原稿を１枚ずつ分離して読取部に連続供給する自動原稿送り装置（ＡＤＦ装置）を備えている。そして、原稿画情報の読取方式としては、ＡＤＦ装置の原稿搬送路の途中に読取部を配置して原稿を搬送しながら読取る方式と、読取光学系がプラテンガラス上に載置された原稿の下面を移動しながら読取り走査するフラットベットスキャナ（ＦＢＳ）方式とを併用したものも広く採用されるようになった。このような装置において、自動送り原稿を読取る際には、上記読取光学系が原稿搬送路の途中の読取ポイントに移動して静止し、搬送される原稿の画情報を逐次読取る。
【０００３】
そして、上記のようなＡＤＦ装置においては、原稿の給送（搬送）パス上に配設されたシート幅検出手段と、リードセンサとにより給送中原稿のサイズが検出され、この検出情報に基づき、読取装置その他関連機器の制御がなされる。このような原稿サイズ検出手段を備えたＡＤＦ装置では、搬送パス上に、シート（原稿）幅検出手段と、読取位置の上流側において所定時間におけるシート（原稿）の先端を検出するリードセンサとを設け、リードセンサのオン、オフ及びシート幅検出手段によるシート幅情報に基づき、給送中のシートサイズを推定するようになされている（例えば、特許文献１を参照）。
【特許文献１】特開平０８−１３３５５１号公報
【発明の開示】
【発明が解決しようとする課題】
【０００４】
上記特許文献１に開示されたようなＡＤＦ装置においては、原稿（シート）の搬送パス方向に沿った長さの判定は、実質上センサによる原稿先端の検知情報と同原稿後端の検知情報に基づきなされるが、この両センサによる原稿の先端・後端検出は、原稿のページ間隔が確保される原稿分離手段（さばき手段）の下流側で行われる必要がある。そして、この両センサ間の搬送パスに沿った距離は、汎用の定格用紙全てのサイズ検出が可能なように、最大原稿長さの１／２以上を必要とする。一般には、最大原稿はＡ３サイズであるので、その長さの１／２、即ち２１０ｍｍ以上の間隔を、上記原稿分離手段から読取部までの搬送パスにおいて確保しなければならず、このような長い搬送パスの確保が、装置を小型化する上で障害ともなっていた。
【０００５】
本発明は上記のような実情に鑑みなされたものであり、給送パスを短くしても的確な原稿サイズの検出を可能とし、装置の小型化を図ることができる自動原稿送り装置を提供するものである。
【課題を解決するための手段】
【０００６】
請求項１の発明に係る自動原稿送り装置は、原稿載置部に載置された原稿を最上部より繰出し、分離手段で１枚ずつ分離して読取部に給送する自動原稿送り装置であって、上記読取部の上流側近傍において給送原稿の先端を検出する原稿先端検出センサと、上記原稿載置部上の最上部原稿に当接し、当接原稿の移動状態を検出する移動検出手段とを備え、上記原稿先端検出センサと移動検出手段の原稿当接位置との原稿給送パスに沿った距離を、少なくとも最大原稿長さの１／２に相当する長さとしたことを特徴とする。
【０００７】
請求項２の発明は、上記移動検出手段が、最上部原稿に離接可能な回転体を備え、この回転体は当接原稿の移動により回転するよう構成され、この回転・停止状態をして上記原稿の移動状態とすることを特徴とする。
【０００８】
請求項３の発明は、上記回転体にエンコーダを付設し、このエンコーダによる回転体の回転数検出に基づき原稿長さの判定を行うようにしたことを特徴とする。
【発明の効果】
【０００９】
請求項１の発明によれば、原稿載置部に載置された最上部の原稿が分離手段により分離され、読取部に向け給送中、当該原稿の後続部分は原稿載置部上を移動しながら分離手段に導入されて行く。この間、移動検出手段は、原稿載置部上において移動中の当該原稿に当接しているから、原稿が移動中であると検知する。給送が進み、この原稿の後端が移動検出手段の当接から外れると、移動検出手段は直下の静止している未繰出しの堆積原稿の上面に当接するから、これによって先行原稿の後端が通過したことを検知する。従って、原稿先端検出センサと移動検出手段の当接位置との給送パスに沿った距離が予め定められているから、原稿先端検出センサによって原稿先端が検出された後の移動検出手段による検出情報（原稿が移動しているか静止しているか）に基づいて、給送原稿のサイズを推定することができる。
【００１０】
しかも、原稿先端検出センサと移動検出手段の当接位置との給送パスに沿った距離が、少なくとも最大原稿長さの１／２とされているから、原稿幅情報との組合わせにより、適用可能な全ての定格用紙のサイズを的確に判定することができる。また、上記のような原稿サイズ検出は、給送される原稿毎になされるから、原稿載置部に異なるサイズの原稿が所謂ミックススタックされている場合でも、原稿毎に的確なサイズ検出がなされ、夫々の原稿に応じた読取等の制御が適正になされる。更に、移動検出手段は分離手段の上流側に位置することになるから、該分離手段から読取部までの給送パス長さとして、最大原稿長さの１／２以上を確保する必要がなく、装置のコンパクト化が図られる。特に、所謂ウイングレスとして、そのコンパクトな構成が好評を博しているＵターン搬送の自動原稿送り装置においては、その実用価値は極めて大である。
【００１１】
請求項２の発明によれば、給送中の原稿の後続部分が上記のように原稿載置部上を移動している時は、この移動に伴い回転体が回転する。また、給送が進みこの原稿の後端が移動検出手段の当接から外れると、回転体は静止している未繰出しの堆積原稿の上面に当接するから、その回転が停止する。この回転・停止の状態検出と、上記原稿先端検出センサの先端部検出情報とによって原稿長さが検出される。
【００１２】
請求項３の発明によれば、原稿先端検出センサの先端部検出後、回転体が停止するまでの回転数をエンコーダにより係数するようにすれば、原稿先端検出センサと移動検出手段との給送パスに沿った長さが既知であるから、この長さと係数値に基づき換算した長さとを加算することにより、原稿の正確な長さを算出することができる。
【発明を実施するための最良の形態】
【００１３】
以下に本発明の実施の形態について図面を参照して説明する。図１はファクシミリ装置や複写機、或いはファクシミリと複写の両機能を備えた所謂複合機におけるＡＤＦ１の要部の縦断面図を示すものである。
【実施例】
【００１４】
図例のＡＤＦ１は、シートものの原稿Ｄを１枚ずつ搬送しながら、その両面の画像を読み取って、それぞれデジタル信号として出力するための原稿送り装置として構成されている。ＡＤＦ１の原稿供給口部２ａには、原稿トレー２ｂが該原稿供給口部２ａに向かって下方に傾斜するよう着脱自在に装着され、この原稿供給口部２ａと原稿トレー２ｂとにより原稿載置部２が構成されている。原稿供給口部２ａ上には、原稿載置部２に堆積された原稿（用紙）Ｄを上層部より繰出すピックアップローラ３が配設され、このピックアップローラ３に引き続き、繰出された原稿を１枚ずつ分離して給送する原稿分離手段４が装備されている。該原稿分離手段４は、分離ローラ４ａとこの分離ローラ４ａの周体に弾接するよう付勢された分離パッド４ｂからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。４ｃは、分離パッド４ｂを分離ローラ４ａの周体に弾接させる為の圧縮スプリングである。
【００１５】
上記原稿分離手段４により１枚ずつ分離された原稿は、Ｕターン状に形成された原稿搬送路（原稿給送パス）５に沿って順次配設されたレジストローラ６、第１搬送ローラ７及び第２搬送ローラ８によりレジスト搬送されて第１の読取ポイント（読取部）Ｐ１に至り、更に第３搬送ローラ９により第２の読取ポイントＰ２に給送され、排出ローラ１０により排出トレー１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１６】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１７】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。ＡＤＦ１、原稿トレー２ｂ及び排出トレー１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１８】
上記のように、第１の読取ポイントＰ１で表面画像が読み取られた原稿は、さらに、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。即ち、密着型イメージセンサ１６とプラテンローラ１７との間に導入される原稿は、プラテンローラ１７の回転により密着型イメージセンサ１６の読取面を摺接しながら給送され、この間原稿の裏面画像が密着型イメージセンサ１６により読取られ、電気信号に変換されてデジタル信号として出力される。
【００１９】
上記分離ローラ４ａ、レジストローラ６、第１〜第３搬送ローラ７〜９、プラテンローラ１７及び排出ローラ１０は、１個のモーター（不図示）を駆動源とし、適宜ギヤ或いはベルト等の伝達手段（同）を介し駆動伝達がなされ、また適宜電磁クラッチ（同）により個々にオン・オフ制御がなされるよう構成されている。
【００２０】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００２１】
斯く構成されたピックアップローラ３は、待機状態ではフレーム３ａをして上方に位置し、上記駆動軸４ｄが正回転（Ａ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ａ方向）すると、フレーム３ａがトルクリミッタの作用により上方に揺動し、その後の駆動軸４ｄの停止により、待機状態に静止保持される。
【００２２】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００２３】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２４】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、レジストローラ６の駆動軸６ｂに対し該駆動軸６ｂを支点として上下に開閉可能に枢着された中間フレーム２１に取付けられている。第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２５】
原稿載置部２上には、堆積原稿Ｄ上に離接可能な原稿移動検出手段２２が配設されており、図２はその概略的平面図である。図１及び図２を参照してこの原稿移動検出手段２２について詳述する。即ち、該原稿移動検出手段２２は、上記原稿分離ローラ４ａの駆動軸４ｂに、トルクリミッタとしての圧縮ばね（皿ばねやスプリングワッシャも可能）２２ａを介し上下揺動可能に支持された揺動アーム２２ｂと、該揺動アーム２２ｂの先端に固設された支軸２２ｃに対し軸回転可能に支持された回転コロ２２ｄと、該回転コロ２２ｄの一端に同軸的に連成された回転盤２２ｅと、この回転盤２２ｅの回転数を検出してエンコーダ機能を奏する光電センサ２２ｆとよりなる。回転盤２２ｅは、図１に示すように、その周方向に沿って等間隔で形成された複数の切欠（突片）２２ｇを備える。光電センサ２２ｆは、この切欠（突片）２２ｇを挟むように配置され、回転盤２２ｅの回転に伴う切欠（突片）２２ｇによる遮光、透光作用をして、その回転盤２２ｅの回転状態（回転数）を検出するものである。
【００２６】
上記分離ローラ４ａの駆動軸４ｂが、原稿の繰出・給送方向であるＡ方向に回転を開始すると、上記駆動軸４ｂと揺動アーム２２ｂとの間に弾装された圧縮ばね２２ａのトルクリミッタとしての機能により、揺動アーム２２ｂが従動して下方に揺動する。この揺動の結果、回転コロ２２ｄが原稿載置部２上に堆積された原稿Ｄの最上部に当接し、この当接により、揺動アーム２２ｂに対して圧縮ばね２２ａの負荷トルクを上回る負荷が作用し、これにより、揺動アーム２２ｂの揺動は停止する一方、駆動軸４ｂの回転は継続する。この駆動軸４ｂの回転継続に伴うピックアップローラ３及び分離ローラ４ａの回転により、最上部原稿Ｄが繰出・給送され、更には下流側のレジストローラ６、搬送ローラ７、８等により原稿搬送路５に沿ってレジスト搬送される。原稿の繰出しに伴い、その堆積層厚が小さくなって行くが、駆動軸４ａが回転している限り、圧縮ばね２２ａと揺動アーム２２ｂとの作用により、回転コロ２２ｄは常時最上部原稿Ｄに当接される。
【００２７】
最上部原稿Ｄの後半部分は、上記繰出・給送及び搬送に伴う引張り作用により図２の白抜き矢印Ｂに示す方向に移動しながら繰出されて行く。この原稿Ｄの矢印Ｂ方向への移動に伴い、これに当接する回転コロ２２ｄがＣ方向に従動回転する。この従動回転は、回転コロ２２ｄが当接する最上部原稿Ｄの移動の間継続され、光電センサ２２ｆによってその回転状態（回転数）が検出され、その検出情報が出力される。当該最上部原稿Ｄが引続き繰出され、回転コロ２２ｄから外れると、回転コロ２２ｄは直下の静止している次原稿上に当接することになり、その回転が停止する。このような回転コロ２２ｄの動作は、原稿載置部２上に堆積された原稿Ｄ毎に繰り返される。
【００２８】
そして、原稿載置部２上の全ての原稿Ｄが、繰出・給送され、前記読取が完了すると、駆動軸４ｂが一旦停止後逆回転（反Ａ方向）するが、この時上記圧縮ばね２２ａのトルクリミッタとしての作用により、揺動アーム２２ｂが上方に揺動し、その後の駆動軸４ｂの停止により、図１に示す待機位置に維持される。尚、揺動アーム２２ｂの揺動機構は、図例の機構に限定されず、回転コロ２２ｄが最上部原稿に離接可能で、しかも原稿の繰出し中は常時原稿に当接する機能を奏しし得るものであれば、その他の機構も採用可能であることは言うまでもない。
【００２９】
分離ローラ４ａとレジストローラ６との間に原稿幅検出センサ２３が、また、第２搬送ローラ８の上流側近傍には原稿先端検出センサ２４が、夫々配設され、この原稿幅検出センサ２３及び原稿先端検出センサ２４と、上記原稿移動検出手段２２とにより、原稿サイズ検出手段が構成される。原稿移動検出手段２２の最上部原稿Ｄに対する当接位置と、原稿先端検出センサ２４の原稿先端検出位置との間の原稿搬送路（原稿給送パス）５に沿った距離Ｌは、最大原稿長さの１／２若しくは１／２よりやや大とされている。従って、最も汎用性の高いこの種読取装置では最大原稿サイズがＡ３であるので、上記Ｌは２１０ｍｍ若しくは２１０ｍｍよりやや大とされる。以下図３も参照して、この原稿サイズ検出手段について述べる。
【００３０】
図３において、原稿幅検出センサ２３は、原稿給送方向Ｂに直交する方向に併設された３個のフィラー型センサ２３ａ、２３ｂ、２３ｃから構成される。本実施形態では、原稿給送方向Ｂに向かって右辺側に各原稿を揃える例を示しているが、センタ揃え或いは左辺側揃えも除外するものではない。図３の例は、最大原稿サイズをＡ３としており、このようなセンサ配置においては、使用される原稿用紙が定格用紙である場合、分離ローラ４ａから給送される原稿の先端がこれらセンサ２３ａ、２３ｂ、２３ｃに作用することにより、以下のような原稿幅情報が得られる。尚、以下において（Ｔ）は上記原稿給送方向Ｂに沿った縦置きを、（Ｙ）は原稿給送方向Ｂに直交する横置きを、夫々意味する。
【００３１】
（１）センサ２３ａ、２３ｂ、２３ｃが全てオフの場合、原稿サイズはＢ５（Ｔ）若しくはそれ以下のサイズである。
（２）センサ２３ａがオン、２３ｂ、２３ｃがオフの場合、原稿サイズはＡ４（Ｔ）である。
（３）センサ２３ａ、２３ｂがオンで、２３ｃがオフの場合、原稿サイズはＢ４（Ｔ）若しくはＢ５（Ｙ）である。
（４）センサ２３ａ、２３ｂ、２３ｃが全てオンの場合、原稿サイズはＡ３（Ｔ）若しくはＡ４（Ｙ）である。
【００３２】
上記原稿幅の検出においては、ピックアップローラ３で繰出され、分離ローラ４ａで分離・給送される原稿は、前記のように周速度の大きいレジストローラ６によりレジスト搬送されるから、分離ローラ４ａの下流側では後続原稿との間にページ間隔が確保されることになり、従って、原稿幅検出センサ２３による検出は、給送される原稿毎になされる。そして、上記（３）（４）では、まだ原稿サイズが確定していないが、原稿先端がフィラー型の原稿先端検出センサ２４に至り、該センサ２４をオンとした時点でこれら不確定の原稿サイズが確定する。
【００３３】
即ち、（３）の原稿（Ｂ４（Ｔ）若しくはＢ５（Ｙ）の原稿）の先端が、原稿先端検出センサ２４をオンとした時、上記原稿移動検出手段２２の回転盤２２ｅが回転していないことを光電センサ２２ｆが検出した場合、当該原稿の後半部分は既に回転コロ２２ｄの当接下から抜け出しており、従ってその長さは２１０ｍｍ以下であることは明らかであるから、当該原稿は短辺が２１０ｍｍより短いＢ５（Ｙ）原稿であると判定される。また、上記原稿移動検出手段２２の回転盤２２ｅが回転していることを光電センサ２２ｆが検出した場合、当該原稿の後半部分はまだ回転コロ２２ｄの当接下にあり、従ってその長さは２１０ｍｍ以上であることは明らかであるから、当該原稿は長辺が２１０ｍｍより長いＢ４（Ｔ）原稿であると判定される。
【００３４】
一方、（４）の原稿（Ａ３（Ｔ）若しくはＡ４（Ｙ）の原稿）の先端が、原稿先端検出センサ２４をオンとした直後において、上記原稿移動検出手段２２の回転盤２２ｅが回転していないことを光電センサ２２ｆが検出した場合、当該原稿の後半部分は既に回転コロ２２ｄの当接下から抜け出しており、従ってその長さは２１０ｍｍ以下であることは明らかであるから、当該原稿は短辺が２１０ｍｍであるＡ４（Ｙ）原稿であると判定される。また、上記原稿移動検出手段２２の回転盤２２ｅが回転していることを光電センサ２２ｆが検出した場合、当該原稿の後半部分はまだ回転コロ２２ｄの当接下にあり、従ってその長さは２１０ｍｍより大であることは明らかであるから、当該原稿は長辺が２１０ｍｍより長いＡ３（Ｔ）原稿であると判定される。尚、（１）の場合は、原稿がいずれのセンサ２３ａ、２３ｂ、２３ｃをオンとしないまま、その先端が原稿先端検出センサ２４に達することになるから、該センサ２４をオンとした時点で、そのサイズがＢ５（Ｔ）若しくはそれ以下のサイズであることが確定する。
【００３５】
このように、原稿移動検出手段２２、原稿幅検センサ２３及び原稿先端検出センサ２４の検出情報に基づき、原稿搬送路５を搬送される原稿のサイズが第２搬送ローラ８に至る前に確定し、第１読取ポイントＰ１或いは第２読取ポイントＰ２においては、この確定した原稿サイズ情報に基づき適正な読取走査制御がなされ、或いは読取画情報の適正な出力制御がなされる。しかも、原稿サイズの確定は、原稿毎になされるから、原稿載置部２上に異なるサイズの原稿がミックススタックされていても、上記読取走査制御や読取画情報の出力制御が、原稿毎に適正になされる。更に、原稿移動検出手段２２は、原稿載置部２上、即ち分離ローラ４ａの上流側に位置するから、分離ローラ４ａと原稿先端検出センサ２４との間に、実質上最大原稿長さの１／２以上の長さの原稿搬送路（給送パス）を確保する必要がなく、これにより装置のコンパクト化を図ることができる。特に、図１のように、ＦＢＳ装置の一側辺部において原稿をＵターン搬送するよう構成し、原稿トレー２ｂの下に排出トレー１１を設けるようにしたＡＤＦ装置のように、原稿給送パス長さに制約がある場合には、その実効は極めて大である。
【００３６】
また、光電センサ２２ｆをエンコーダとして回転盤２２ｅの回転数を検出させるようにすれば、この検出値の長さ換算値と、原稿先端検出センサ２４まで或いは原稿幅検出センサ２３までの既知の原稿パス長さとを合算することにより、原稿毎の正確な長さが演算され、より精度の高い読取走査制御等が可能となる。
【００３７】
図１において、２５は原稿先端揃え用シャッタであり、待機状態の時には、原稿載置部２上に突出し、原稿トレー２ｂ上にセットされる原稿Ｄの先端を揃えることが可能とされている。このシャッタ２５は、レジストローラ６の回転に連動して上下揺動するリンク機構（一部図示省略）２６に設けられており、このリンク機構２６の上下揺動により原稿載置部２上に出没するよう構成されている。このように、レジストローラ６に機械的に連動させて、シャッタ２５を原稿載置部２上に出没させるようにしているから、ソレノイド等の高価な電気部品を用いることなく簡易に構成することができる。
【００３８】
尚、上記実施形態では、原稿幅検出センサ２３あるいは原稿先端検出センサ２４として、フィラー型のセンサを採用した例を示したが、これに限らず、その他の同様の機能を奏するセンサも採用可能である。また、ＡＤＦ装置として、両面読取用の例を示したが、片面読取のＡＤＦ装置にも本発明が適用され得ることは言うまでもない。
【図面の簡単な説明】
【００３９】
【図１】ＡＤＦと走査装置の要部を示す縦断面図である。
【図２】原稿移動検出手段の概略的平面図である。
【図３】原稿幅検出センサによる原稿幅検出の態様を説明する概略的平面図である。
【符号の説明】
【００４０】
１    ＡＤＦ（自動原稿送り装置）
２    原稿載置部
４    原稿分離手段
５    原稿搬送路（原稿給送パス）
２２    原稿移動検出手段
２２ｄ    回転コロ（回転体）
２２ｅ    回転盤
２２ｆ    光電センサ（エンコーダ）
２４    原稿先端検出センサ
Ｐ１    読取ポイント（読取部）
Ｌ      原稿先端検出センサと移動検出手段の原稿当接位置との距離
【図１】
2005075589.tif 000003
【図２】
2005075589.tif 000004
【図３】
2005075589.tif 000005